(57)【要約】      （修正有）【課題】点光源であることによる光の照射むら（中央部と周辺部の明度差）の解消、並びに、電源が発動発電機であることによる騒音と排気ガスの問題を解消した移動式投光器を提供すること。【解決手段】充電可能なバッテリと該バッテリに接続されたインバータ式ＤＣ／ＡＣ電源回路を塔載した台車１と、該台車１の一側に立設した伸縮式マスト５と、該マスト５の上端部に取付けられ前記電源回路に接続されて点灯する複数本の蛍光灯を垂直方向の面内で装着できる平板状の蛍光灯装着部とそこに装着した前記蛍光灯の背面と外周面に形成した光反射面を備える平板状光源10とを具備したこと。【選択図】図１
0003107469.tif 000002
【実用新案登録請求の範囲】
【請求項１】
充電可能なバッテリと該バッテリに接続されたインバータ式ＤＣ／ＡＣ電源回路を塔載した台車と、該台車の一側に立設した伸縮式マストと、該マストの上端部に取付けられ前記電源回路に接続されて点灯する複数本の蛍光灯を垂直方向の面内で装着できる平板状の蛍光灯装着部とそこに装着した前記蛍光灯の背面と外周面に形成した光反射面を備える平板状光源とを具備したことを特徴とするバッテリーを電源とする移動式蛍光灯型投光器。
【請求項２】
平板状光源は、その上下方向の位置（高さ）、平面内での向き（平面角度）、及び、垂直面内での向き（仰角）は、それぞれに任意に変更可能の構造を具備した請求項１のバッテリーを電源とする移動式蛍光灯型投光器。
【請求項３】
台車に塔載された電源回路は、商用電源としても利用できるコンセントを具備した請求項１又は２のバッテリーを電源とする移動式蛍光灯型投光器。
【請求項４】
電源回路は、平板状光源用のコンセントと商用電源用のコンセントを備え、いずれか一方のコンセントにケーブルのプラグが差込まれたら、他方のコンセントへのプラグの差込み接続が機械的及び／又は電気的に阻止されるようにした請求項１〜３のいずれかのバッテリーを電源とする移動式蛍光灯型投光器。
【考案の詳細な説明】
【技術分野】
【０００１】
本考案は、工事現場や災害などの現場検証などにおいて利用する投光器に関し、特に光源に蛍光灯を用いた移動式投光器に関する。
【背景技術】
【０００２】
従来の移動式投光器は、照明器具にメタルハライドランプ（250Ｗまたは400Ｗ）をパラボラ型の傘（レフレクタ）に収め、その複数個（１灯から４灯）を組み合せて光源として使用している。この方式は、前記ランプを点光源とする光をパラボラ状の反射面で反射させて目的物（又は場所）を照明する方式であるので、照射する範囲が狭いのみならず、照射範囲の中央部付近と外周部の明るさに大きな差が生じるという欠点がある。
【０００３】
また、その光源に用いるメタルハライドランプは、それを点灯時に直視すると目が眩むことや網膜に残像が残るので、車の運転に支障をきたすことが知られている。更には、ランプ点灯時に発生する温度が高く、再点灯するためには15分以上の冷却時間が必要であるので直ぐに再点灯することが出来ない（再点灯してもつかない）という難点も抱えている。
【０００４】
しかも、従来型投光器の大半は、発動発電機式（エンジン発電機式）であるため、騒音と排気ガス（悪臭を伴う）を避けることができず、また、このために深夜の住宅地などでの使用はできないが、仮にも使用すると騒音問題や臭気問題を惹起している。加えて、使用時に排気ガスが出るので屋内での使用はできないとうい欠点もある。
【考案の開示】
【考案が解決しようとする課題】
【０００５】
そこで本考案は、従来の移動式投光器における上述の問題点、即ち、点光源であることによる光の照射むら（中央部と周辺部の明度差）の解消、並びに、電源が発動発電機であることによる騒音と排気ガスの問題を解消した移動式投光器を提供することを、その課題とする。
【課題を解決するための手段】
【０００６】
上記課題を解決することを目的としてなされた本考案移動式投光器の構成は、充電可能なバッテリと該バッテリに接続されたインバータ式ＤＣ／ＡＣ電源回路を塔載した台車と、該台車の一側に立設した伸縮式マストと、該マストの上端部に取付けられ前記電源回路に接続されて点灯する複数本の蛍光灯を垂直方向の面内で装着できる平板状の蛍光灯装着部とそこに装着した前記蛍光灯の背面と外周面に形成した光反射面を備える平板状光源とを具備したことを特徴とするものである。
【０００７】
本考案移動式投光器における、平板状光源は、その上下方向の位置（高さ）、平面内での向き（平面角）、及び、垂直面内での向き（仰角）は、それぞれに任意に変更可能の構造を具備している。
【０００８】
また、本考案投光器は、その電源を一般商用電源としても利用できるコンセントを具備している。
【考案の効果】
【０００９】
本考案移動式投光器では、バッテリー式螢光灯型投光器とするため、発光率の高いツイン蛍光灯（55Ｗ）を10灯並列に配置して１つの平板状の反射傘体に収めた形式とし、電子安定回路による点灯方式としたので、チラツキの無い面光源を形成でき、従って、照射範囲を大きく拡げると共に、広い範囲を均等に照明することができる。これにより、１台の本考案投光器で従来型の数台分の範囲をカバーした照明をすることが可能である。しかも、光源ランプが蛍光灯であるから、これを直視しても眩しさの問題は無く、目にも優しい照明を実現できる。
【００１０】
また、切換スイッチにより１灯から10灯まで平板状の反射傘に装着した蛍光灯の点灯数を自在に変更して点灯させることにより、明るさを段階的にコントロールできる。更に、点灯数を減らし点灯することにより省電力での稼動も可能である。なお、本考案投光器に用いる蛍光灯の寿命は約9000時間で、メタルハライドランプとほぼ同等であるが、当該蛍光灯（例えば、松下FPL55EX−N）は市中で容易かつ低廉に入手できる利点がある。
【００１１】
本考案のバッテリー式蛍光灯型投光器では、バッテリーを電源としインバーターにより通常のAC100Vに変換し、蛍光灯を点灯する方式としたので、無騒音で排気ガスの問題もない。従って、多くの人が集まる場所や作業現場、或は、屋内や閑静な住宅地など、各種イベント会場や防災施設等においても、安全裡に、かつ、静謐裡に幅広く使用することができる。
【００１２】
また、短時間で充電できる大容量バッテリーを使用したことにより、一回の充電で最長連続16時間点灯（55型ランプ10灯、24V、約400Ahの場合）が可能なので、万一の災害時などの防災機器としての役割も充分に果せる。
【００１３】
更に、本考案投光器は、AC100Vの一般電気機器用の電源装置としても利用できるコンセントを設けたので、災害による停電時などに家電製品や電気機器等を前記コンセントに接続して利用できる。また、本考案移動式投光器の充電には、商用電源（100V）を使用できるので、従来の発動発電機式の投光器に比べ経済性に格段に優れている。
【考案を実施するための最良の形態】
【００１４】
次に、図に拠り本考案移動式投光器の実施の形態例について説明する。図１は本考案移動式投光器の一例を背面側から見た斜視図、図２は本考案移動式投光器における平面光源部の正面図、図３は電源回路の一例のブロック図である。
【００１５】
図１において、１は四隅に車輪２を具備した台車で、台車１の上面には、複数個のバッテリを出入れ自在に格納すると共に、電源回路を収装した筐体３が塔載されている。なお、バッテリと電源回路は、図に表われていない。
【００１６】
上記台車１の一端側（図１の右側）の中央部には、垂直な筒状のコラム４が立設され、このコラム４に、同軸上において伸縮式マスト５が収設されている。また、図示した台車１の例では、コラム４と同じ側に転倒防止のための伸縮式又は折畳式の２本のアウトリガー６が設けられていると共に、前記車輪２に対して作用するブレーキ2a用の踏操作べダル2bが設けられている。
【００１７】
上記マスト４の上部には、台車１を移動させる際などに握るハンドル７が設けられていると共に、伸縮式マスト５を伸縮させる手動ウィンチ８が設けられている。ハンドル７は、それを回転操作して、図に表われない操舵リンクを介して、台車１の右側の２個の車輪２を操舵すると共に、台車１を押，引するために設けられている。
【００１８】
伸縮式マスト５の頂部には、雲台９が設けられ、この雲台９に、平板状反射傘体の前面に蛍光灯を装着した投光器本体10が、ここでは、ピンと凹欠列（ラック歯）の噛合位置調節による仰角調整部11を介して架装されている。なお、仰角調整部11には、雲台９と投光器本体10の背面の間に油圧シリンダ11aを仰角変更の補力手段として架設している。また、投光器本体10は、その支脚10aの下部が前記仰角調整部11に結合されていると共に、該支脚10aに、前記投光器本体10がその裏面において、軸受部10bを介して支持されていることにより、平面内で任意の向きに首を振る（平面角調整）ことができるように設けられている。
【００１９】
投光器本体10の前面は、図２に例示するように、ここでは10本のツイン直管タイプの蛍光灯12が縦向きに平行に配置されている。12aは各蛍光灯12の口金である。この本体10を形成する正面から見て四角形の平板状反射傘体は、その前面側の外周部10cと各蛍光灯12の裏面10dが光反射面並びに光拡散面に形成されている。
【００２０】
上記の台車１上の筐体３に収装された電源回路20は、一例として図３の構成を備えたものである。即ち、電源回路20は、適宜の周波数で発振する発振部21と、その出力を増幅するアンプを主体とした出力増幅部22と、該増幅部21の交流出力を用いてバッテリ（電源）の直流出力を交流に変換するＤ／Ａ変換部23と、前記増幅部22に対してその入，出力電流を検出する電流検出部24と、出力電流を制御する制御部25とを具備すると共に、前記Ｄ／Ａ変換部23の出力端に接続した光源用コンセント26と、そこから図示しない切換回路を介して分岐したＡＣ100Vのコンセント27を備えている。
【００２１】
両コンセント26と27は、一方のコンセント26又は27に、所定のプラグ（光源用コンセント26には、光源用ケーブルのプラグ、AC100Vのコンセント27には、電気機器のケーブルのプラグ）が差込まれると、その差込んだプラグの差込み作用で、他方のコンセント27又は26の差込口を機械的に塞いだり、コンセントへの回路を電気的に遮断したりして無効化し、誤接続や二重接続を自動的に回避することが望ましい。このような機能は、切替えスイッチなどにより手動的に形成することもできる。
【産業上の利用可能性】
【００２２】
上記のように構成される本考案移動型投光器は、従来の公知の投光器と同様に使用するが、複数本の直管蛍光灯を光源に設置した面光源であるため、照明光の照射範囲が広くなるのみならず、照射中心と周縁部での明度差が殆んどない均斉な明るさの照明ができるので、照明光源としてきわめて有用である。
【００２３】
また、光源が市販されている直管蛍光灯により形成されているから、容易かつ低コストで入手でき、しかも、従来のメタルハライドランプのように一旦消灯すると冷めるまで15分以上再点灯できないという問題はない。
【００２４】
更に、発動機を使用していないので、騒音や排気ガスの問題もなく、従って、非常時に屋内で使用したり、一般商用電源として利用することも可能である。
【図面の簡単な説明】
【００２５】
【図１】本考案移動式投光器の一例を背面側から見た斜視図。
【図２】本考案移動式投光器における平面光源部の正面図。
【図３】電源回路の一例のブロック図。
【符号の説明】
【００２６】
１    台車
２    車輪
３    筐体
４    ポスト
５    伸縮式マスト
６    アウトリガー
７    ハンドル
８    手動ウィンチ
９    雲台
10    投光器本体
11    仰角調整部
12    蛍光灯
20    電源回路
【図１】
0003107469.tif 000003
【図２】
0003107469.tif 000004
【図３】
0003107469.tif 000005